(57)【要約】【課題】  過去にアクセスしてコンテンツの提供を受けたことのある情報提供サイトに対して再びアクセスを容易に行う携帯電話機を提供する。【解決手段】情報提供サイトからコンテンツ（画像）がダウンロードされるとき、同情報提供サイトのインターネットアドレス（ＵＲＬ）が検出されて同画像の付加情報（画像情報１３ｃ）の一部として同画像に対応させて記憶され、この後、表示部１５の画面に表示される同付加情報のうちの同インターネットアドレスに対応するショートカットが選択されたときに同情報提供サイトへアクセスされるので、ユーザが、たとえば数年後に再び同じ情報提供サイトから同様のコンテンツをダウンロードしようとする際に、サイト名及びアドレスを忘れていても、同ショートカットを選択することにより、同情報提供サイトへ容易にアクセスされる。【選択図】図１
2005267286.tif 000002
【特許請求の範囲】
【請求項１】
情報提供サイトからインターネットを介して所望のコンテンツをダウンロードして記憶する携帯電話機であって、
前記情報提供サイトから前記コンテンツをダウンロードするとき、該情報提供サイトのインターネットアドレスを検出して該コンテンツの付加情報の一部として該コンテンツに対応させて記憶し、この後、画面に表示される前記付加情報のうちの前記インターネットアドレスが選択されたときに前記情報提供サイトへアクセスする構成とされていることを特徴とする携帯電話機。
【請求項２】
前記コンテンツがダウンロードされるとき、前記情報提供サイトのインターネットアドレスを検出するアドレス検出手段と、
ダウンロードされた前記コンテンツを記憶すると共に、前記アドレス検出手段で検出された前記インターネットアドレスを該コンテンツの付加情報の一部として該コンテンツに対応させて記憶する記憶手段と、
前記インターネットアドレスを含む前記コンテンツの付加情報をショートカットとして表示する表示手段と、
該表示手段に表示されている前記インターネットアドレスに対応するショートカットが選択されたとき、該インターネットアドレスに対応した前記情報提供サイトにアクセスする制御手段とが設けられていることを特徴とする請求項１記載の携帯電話機。
【請求項３】
前記コンテンツは、
画像又は着信音で構成されていることを特徴とする請求項１又は２記載の携帯電話機。
【請求項４】
情報提供サイトからインターネットを介して所望のコンテンツをダウンロードして記憶する携帯電話機に用いられ、前記情報提供サイトに対するアクセス方法であって、
前記情報提供サイトから前記コンテンツをダウンロードするとき、該情報提供サイトのインターネットアドレスを検出して該コンテンツの付加情報の一部として該コンテンツに対応させて記憶し、この後、画面に表示される前記付加情報のうちの前記インターネットアドレスが選択されたときに前記情報提供サイトへアクセスすることを特徴とする情報提供サイトアクセス方法。
【請求項５】
前記コンテンツがダウンロードされるとき、前記情報提供サイトのインターネットアドレスを検出するアドレス検出処理と、
ダウンロードされた前記コンテンツを記憶すると共に、前記アドレス検出手段で検出された前記インターネットアドレスを該コンテンツの付加情報の一部として該コンテンツに対応させて記憶する記憶処理と、
前記インターネットアドレスを含む前記コンテンツの付加情報をショートカットとして表示する表示処理と、
該表示されている前記インターネットアドレスに対応するショートカットが選択されたとき、該インターネットアドレスに対応した前記情報提供サイトにアクセスするアクセス処理とを行うことを特徴とする請求項４記載の情報提供サイトアクセス方法。
【請求項６】
前記コンテンツは、
画像又は着信音で構成されていることを特徴とする請求項４又は５記載の情報提供サイトアクセス方法。
【請求項７】
コンピュータに請求項１乃至３のうちのいずれか一に記載の携帯電話機を制御させるためのアクセス制御プログラム。
【発明の詳細な説明】
【技術分野】
【０００１】
この発明は、携帯電話機、該携帯電話機に用いられる情報提供サイトアクセス方法及びアクセス制御プログラムに係り、特に、過去にアクセスしてコンテンツの提供を受けたことのある情報提供サイトに対して再びアクセスを行う場合に用いて好適な携帯電話機、該携帯電話機に用いられる情報提供サイトアクセス方法及びアクセス制御プログラムに関する。
【背景技術】
【０００２】
携帯電話機の待受け画像や着信音（着信メロディ、着メロ）は、従来では、ユーザが購入した時に既に１種類又は複数種類設定されているが、近年では、ユーザが購入後に情報提供サイト（たとえば、コンテンツ提供サービス会社など）にアクセスしてダウンロードすることにより、設定されることも多くなっている。待受け画像や着メロは、情報提供サイトから毎日異なるものが配信されることもあるため、ユーザは、毎日ダウンロードして日替わりで設定変更することにより、携帯電話機を「日替わりで仕様が変化する自分だけの携帯電話機」とすることがある。
【０００３】
この種の携帯電話機は、従来では、たとえば図１２に示すように、制御部１と、無線部２と、アンテナ２ａと、メモリ部３と、キー操作部４と、表示部５と、スピーカ６とから構成されている。制御部１は、この携帯電話機全体を制御する。無線部２は、アンテナ２ａを介して図示しない無線基地局との間で無線電波Ｗを送受信する。無線基地局は、インターネットを介して図示しない情報提供サイトに接続されている。メモリ部３は、たとえばＲＡＭ（Randam Access Memory）などで構成され、画像保存領域３ａ、着信音保存領域３ｆ、各種プログラム領域３ｇ、及び電話番号情報領域３ｈなどを有している。また、上記画像保存領域３ａは、画像データ３ｂ及び画像情報３ｃを有し、同画像情報３ｃは、日付情報３ｄ及び画像サイズ情報３ｅから構成されている。
【０００４】
キー操作部４は、たとえば、送信キー、英字／カナ／漢字／数字の変換キー、電源のオン／オフキー、カーソル操作を行うための十文字キー、及び終了キーなどから構成されている。表示部５は、たとえばＬＣＤ（液晶ディスプレイ）などで構成され、待受け画像や通信に必要な画面を表示する。スピーカ６は、着信音や通信に必要な音声を発生する。
【０００５】
この携帯電話機では、ユーザが情報提供サイトにアクセスすることにより、コンテンツ（画像）がダウンロードされる。ダウンロードされた画像は、画像データ３ｂとして画像情報３ｃ（日付情報３ｄ及び画像サイズ情報３ｅ）と共に画像保存領域３ａに保存される。また、画像データ３ｂは、ユーザの操作により、待受け画像として設定される。
【０００６】
上記の携帯電話機の他、従来、この種の技術としては、たとえば、次のような文献に記載されるものがあった。
特許文献１に記載された端末機能設定システムでは、メニュー画面が自由に設定されると共にショートカット機能を有し、個々のユーザの嗜好又は用途に対応したグラフィックユーザインタフェースがメニュー画面として設定される。
【０００７】
特許文献２に記載された通信装置では、撮影手段によって取得された画像中のＵＲＬ（Uniform Resource Locator）やメールアドレス情報が記憶され、これらを利用して相手先へアクセスされる。
【特許文献１】特開２００３−５８８３号公報（第１頁、図４〜９）
【特許文献２】特開２００３−１５９７８号公報（第１頁、図１〜７）
【発明の開示】
【発明が解決しようとする課題】
【０００８】
しかしながら、上記従来の携帯電話機では、次のような問題点があった。
すなわち、過去に待受け画像や着信音などのコンテンツをダウンロードした情報提供サイトから再び同様なコンテンツをダウンロードするためにアクセスしようとしても、ダウンロードを実施した際の画像情報３ｃが日付情報３ｄ及び画像サイズ情報３ｅのみであるため、目的の情報提供サイトが容易に見つからず、アクセスできないことがあるという問題点がある。また、ユーザが検索を行うと、検索を行ったデータ量が増加し、通信料金が増加するという問題点がある。これらの問題点を解決するために、ユーザが情報提供サイトの「お気に入り登録」や同サイトへアクセスするためのショートカットの作成作業を行なうことが考えられる。ところが、同サイトへのショートカットの作成や「お気に入り登録」を行なっても、登録した情報提供サイトからダウンロードできる情報をユーザが忘れることがあるという問題点がある。
【０００９】
また、特許文献１に記載された端末機能設定システム及び特許文献２に記載された通信装置では、過去にアクセスしたことのある情報提供サイトに対してアクセスを容易に行うものではなく、上記の問題点は、改善されない。
【課題を解決するための手段】
【００１０】
上記課題を解決するために、請求項１記載の発明は、情報提供サイトからインターネットを介して所望のコンテンツをダウンロードして記憶する携帯電話機に係り、前記情報提供サイトから前記コンテンツをダウンロードするとき、該情報提供サイトのインターネットアドレスを検出して該コンテンツの付加情報の一部として該コンテンツに対応させて記憶し、この後、画面に表示される前記付加情報のうちの前記インターネットアドレスが選択されたときに前記情報提供サイトへアクセスする構成とされていることを特徴としている。
【００１１】
請求項２記載の発明は、請求項１記載の携帯電話機に係り、前記コンテンツがダウンロードされるとき、前記情報提供サイトのインターネットアドレスを検出するアドレス検出手段と、ダウンロードされた前記コンテンツを記憶すると共に、前記アドレス検出手段で検出された前記インターネットアドレスを該コンテンツの付加情報の一部として該コンテンツに対応させて記憶する記憶手段と、前記インターネットアドレスを含む前記コンテンツの付加情報をショートカットとして表示する表示手段と、該表示手段に表示されている前記インターネットアドレスに対応するショートカットが選択されたとき、該インターネットアドレスに対応した前記情報提供サイトにアクセスする制御手段とが設けられていることを特徴としている。
【００１２】
請求項３記載の発明は、請求項１又は２記載の携帯電話機に係り、前記コンテンツは、画像又は着信音で構成されていることを特徴としている。
【００１３】
請求項４記載の発明は、情報提供サイトからインターネットを介して所望のコンテンツをダウンロードして記憶する携帯電話機に用いられ、前記情報提供サイトに対するアクセス方法に係り、前記情報提供サイトから前記コンテンツをダウンロードするとき、該情報提供サイトのインターネットアドレスを検出して該コンテンツの付加情報の一部として該コンテンツに対応させて記憶し、この後、画面に表示される前記付加情報のうちの前記インターネットアドレスが選択されたときに前記情報提供サイトへアクセスすることを特徴としている。
【００１４】
請求項５記載の発明は、請求項４記載の情報提供サイトアクセス方法に係り、前記コンテンツがダウンロードされるとき、前記情報提供サイトのインターネットアドレスを検出するアドレス検出処理と、ダウンロードされた前記コンテンツを記憶すると共に、前記アドレス検出手段で検出された前記インターネットアドレスを該コンテンツの付加情報の一部として該コンテンツに対応させて記憶する記憶処理と、前記インターネットアドレスを含む前記コンテンツの付加情報をショートカットとして表示する表示処理と、該表示されている前記インターネットアドレスに対応するショートカットが選択されたとき、該インターネットアドレスに対応した前記情報提供サイトにアクセスするアクセス処理とを行うことを特徴としている。
【００１５】
請求項６記載の発明は、請求項４又は５記載の情報提供サイトアクセス方法に係り、前記コンテンツは、画像又は着信音で構成されていることを特徴としている。
【００１６】
請求項７記載の発明は、アクセス制御プログラムに係り、コンピュータに請求項１乃至３のうちのいずれか一に記載の携帯電話機を制御させることを特徴としている。
【発明の効果】
【００１７】
この発明の構成によれば、情報提供サイトからコンテンツがダウンロードされるとき、同情報提供サイトのインターネットアドレスが検出されて同画像の付加情報の一部として同画像に対応させて記憶され、この後、表示手段に表示される同付加情報のうちの同インターネットアドレスが選択されたときに同情報提供サイトへアクセスされるようにしたので、ユーザが、たとえば数年後に再び同じ情報提供サイトから同様のコンテンツをダウンロードしようとする際に、サイト名及びアドレスを忘れていても、上記インターネットアドレスを選択することにより、過去にアクセスしてコンテンツの提供を受けたことのある同情報提供サイトへ容易にアクセスでき、無駄な検索の手間を省くことができる。
【発明を実施するための最良の形態】
【００１８】
情報提供サイトからコンテンツをダウンロードするとき、同情報提供サイトのインターネットアドレスを検出して同コンテンツの付加情報の一部として同コンテンツに対応させて記憶し、画面に表示される同付加情報のうちの同インターネットアドレスが選択されたときに同情報提供サイトへアクセスする携帯電話機を提供する。
【実施例１】
【００１９】
図１は、この発明の第１の実施例である携帯電話機の要部の電気的構成を示すブロック図である。
この例の携帯電話機は、情報提供サイトからコンテンツをダウンロードするとき、同情報提供サイトのインターネットアドレスを検出して同コンテンツの付加情報の一部として同コンテンツに対応させて記憶し、画面に表示される同付加情報のうちのインターネットアドレスが選択されたときに同情報提供サイトへアクセスする構成とされ、同図に示すように、制御部１１と、無線部１２と、アンテナ１２ａと、メモリ部１３と、キー操作部１４と、表示部１５と、スピーカ１６とから構成されている。
【００２０】
制御部１１は、この携帯電話機全体を制御するＣＰＵ（中央処理装置）１１ａ及び同ＣＰＵ１１ａを動作させるためのアクセス制御プログラムが記録されたＲＯＭ（リード・オンリ・メモリ）１１ｂを有している。また、制御部１１には、アドレス検出部１１ｃが設けられている。アドレス検出部１１ｃは、コンテンツがダウンロードされるとき、図示しない情報提供サイトのインターネットアドレスを検出する。特に、この実施例では、制御部１１は、表示部１５に表示されているインターネットアドレスに対応するショートカットが選択されたとき、同インターネットアドレスに対応した情報提供サイトにアクセスする。無線部１２は、アンテナ１２ａを介して図示しない無線基地局との間で無線電波Ｗを送受信する。無線基地局は、インターネットを介して図示しない情報提供サイトに接続されている。
【００２１】
メモリ部１３は、たとえばＲＡＭなどで構成され、画像保存領域１３ａ、着信音保存領域１３ｇ、各種プログラム領域１３ｈ、及び電話番号情報領域１３ｊなどを有している。また、上記画像保存領域１３ａは、画像データ１３ｂ及び画像情報１３ｃを有し、同画像情報１３ｃは、日付情報１３ｄ、画像サイズ情報１３ｅ及び情報提供サイトアドレス１３ｆから構成され、特に、この実施例では、ダウンロードされたコンテンツ（画像）を画像データ１３ｂとして記憶すると共に、アドレス検出部１１ｃで検出されたインターネットアドレスを同コンテンツ（画像）の付加情報（画像情報１３ｃ）の一部として同コンテンツ（画像）に対応させ、情報提供サイトアドレス１３ｆとして記憶する。
【００２２】
キー操作部１４は、たとえば、送信キー、英字／カナ／漢字／数字の変換キー、電源のオン／オフキー、カーソル操作を行うための十文字キー、及び終了キーなどから構成されている。表示部１５は、たとえばＬＣＤなどで構成され、待受け画像や通信に必要な画面を表示し、特に、この実施例では、情報提供サイトのインターネットアドレスを含む上記コンテンツの付加情報をショートカットとして表示する。スピーカ１６は、着信音や通信に必要な音声を発生する。
【００２３】
図２は、図１の携帯電話機の動作を説明するフローチャート、図３は、待受け画像選択メニュー画面を示す図、図４は、サブメニュー選択画面を示す図、図５は、画像情報選択画面を示す図、及び図６が、待受け画像提供サイトを示す図である。
これらの図を参照して、この例の携帯電話機に用いられる情報提供サイトアクセス方法の処理内容について説明する。
この携帯電話機では、情報提供サイトからコンテンツ（画像）がダウンロードされるとき、同情報提供サイトのインターネットアドレスが検出されて同コンテンツの付加情報（この実施例では、画像情報１３ｃ）の一部として同コンテンツに対応させて記憶され、この後、表示部１５の画面に表示される同付加情報のうちの同インターネットアドレスが選択されたときに同情報提供サイトへアクセスされる。
【００２４】
すなわち、ユーザの操作により、無線部１２を介してインターネット上の情報提供サイトへアクセスされる（ステップＡ１）。このとき、アドレス検出部１１ｃでは、現在アクセスされている情報提供サイトのインターネットアドレスが検出される（ステップＡ２、アドレス検出処理）。このとき、ユーザの操作により、コンテンツ（たとえば、待受け画像）のダウンロードが行なわれる（ステップＡ３）。ダウンロードされた待受け画像は、メモリ部１３に画像データ１３ｂとして保存される（ステップＡ４）。保存された待受け画像に対応して、日付情報１３ｄ、画像サイズ情報１３ｅと共に、情報提供サイトのインターネットアドレスが情報提供サイトアドレス１３ｆとしてメモリ部１３に記憶される。保存された情報提供サイトアドレス１３ｆは、後に情報提供サイトへアクセスするためのショートカットとして記憶される（ステップＡ５、記憶処理）。
【００２５】
この後、ユーザの操作により、図３に示すように、待受け画像選択メニューが開き、アクセスしようとしている情報提供サイトから過去にダウンロードを行なった待受け画像（たとえば、「船」）にカーソルを合わせることにより選択される。待受け画像が選択されると、図４に示すように、この待受け画像のサブメニューが起動して表示部１５に表示される。表示されたサブメニュー中にある「画像情報」がユーザの操作により選択され、図５に示すように、待受け画像（「船」）に対応しているインターネットアドレス（「ＵＲＬ」）を含むコンテンツの付加情報（形式、画像サイズ）がメモリ部１３から読み出され、ショートカットとして表示部１５に表示される（表示処理）。表示されているインターネットアドレス（ＵＲＬ）に対応するショートカットが選択されたとき、同インターネットアドレスに対応した情報提供サイトにアクセスされ（アクセス処理）、たとえば図６に示すように、「無料待受け画像サイト」が表示される。
【００２６】
以上のように、この第１の実施例では、情報提供サイトからコンテンツ（画像）がダウンロードされるとき、同情報提供サイトのインターネットアドレス（ＵＲＬ）が検出されて同画像の付加情報（画像情報１３ｃ）の一部として同画像に対応させて記憶され、この後、表示部１５の画面に表示される同付加情報のうちの同インターネットアドレスに対応するショートカットが選択されたときに同情報提供サイトへアクセスされるようにしたので、ユーザが、たとえば数年後に再び同じ情報提供サイトから同様のコンテンツをダウンロードしようとする際に、サイト名及びアドレスを忘れていても、上記ショートカットを選択することにより、過去にアクセスしてコンテンツの提供を受けたことのある同情報提供サイトへ容易にアクセスされ、無駄な検索の手間を省くことができる。
【実施例２】
【００２７】
図７は、この発明の第２の実施例である携帯電話機の要部の電気的構成を示すブロック図であり、第１の実施例を示す図１中の要素と共通の要素には共通の符号が付されている。
この例の携帯電話機では、図１中のメモリ部１３に代えて、異なる構成のメモリ部１３Ａが設けられている。メモリ部１３Ａは、着信音保存領域１３ｋ、画像保存領域１３ｕ、各種プログラム領域１３ｈ、及び電話番号情報領域１３ｊなどを有している。また、上記着信音保存領域１３ｋは、音楽データ１３ｍ及びメロディ情報１３ｎを有し、同メロディ情報１３ｎは、日付情報１３ｐ、音楽サイズ情報１３ｑ及び情報提供サイトアドレス１３ｒから構成され、特に、この実施例では、ダウンロードされたコンテンツ（着信音）を音楽データ１３ｍとして記憶すると共に、アドレス検出部１１ｃで検出されたインターネットアドレスを同コンテンツ（着信音）の付加情報（メロディ情報１３ｎ）の一部として同コンテンツ（着信音）に対応させ、情報提供サイトアドレス１３ｒとして記憶する。他は、図１と同様の構成である。
【００２８】
図８は、着信音選択メニュー画面を示す図、図９は、サブメニュー選択画面を示す図、図１０は、メロディ情報選択画面を示す図、及び図１１が、着メロ提供サイトを示す図である。
これらの図を参照して、この例の携帯電話機に用いられる情報提供サイトアクセス方法の処理内容について説明する。
この携帯電話機では、情報提供サイトからコンテンツ（着信音）がダウンロードされるとき、同情報提供サイトのインターネットアドレスが検出されて同コンテンツの付加情報（この実施例では、メロディ情報１３ｎ）の一部として同コンテンツに対応させて記憶され、この後、表示部１５の画面に表示される同付加情報のうちの同インターネットアドレスが選択されたときに同情報提供サイトへアクセスされる。
【００２９】
すなわち、ユーザの操作により、無線部１２を介してインターネット上の情報提供サイトへアクセスされる。このとき、アドレス検出部１１ｃでは、現在アクセスされている情報提供サイトのインターネットアドレスが検出される（アドレス検出処理）。このとき、ユーザの操作により、コンテンツ（着信音）のダウンロードが行なわれる。ダウンロードされたコンテンツ（着信音）は、メモリ部１３Ａに音楽データ１３ｍとして保存される。保存された着信音に対応して、日付情報１３ｐ、音楽サイズ情報１３ｑと共に、情報提供サイトのインターネットアドレスが情報提供サイトアドレス１３ｒとしてメモリ部１３Ａに記憶される。保存された情報提供サイトアドレス１３ｒは、情報提供サイトへアクセスするためのショートカットとして記憶される（記憶処理）。
【００３０】
この後、ユーザの操作により、図８に示すように、着信音選択メニューが開き、アクセスしようとしている情報提供サイトから過去にダウンロードを行なった着信音にカーソルを合わせることにより選択される。着信音が選択されると、図９に示すように、この着信音のサブメニューが起動して表示部１５に表示される。表示されたサブメニュー中にある「メロディ情報」がユーザの操作により選択され、図１０に示すように、インターネットアドレス（「ＵＲＬ」）を含むコンテンツの付加情報（形式、音楽サイズ）がメモリ部１３Ａから読み出されてショートカットとして表示部１５に表示される（表示処理）。表示されているインターネットアドレス（ＵＲＬ）に対応するショートカットが選択されたとき、同インターネットアドレスに対応した情報提供サイトにアクセスされ（アクセス処理）、たとえば図１１に示すように、「無料着メロサイト」が表示される。
【００３１】
以上のように、この第２の実施例では、情報提供サイトからコンテンツ（着信音）がダウンロードされるとき、同情報提供サイトのインターネットアドレス（ＵＲＬ）が検出されて同着信音の付加情報（メロディ情報１３ｎ）の一部として同着信音に対応させて記憶され、この後、表示部１５の画面に表示される同付加情報のうちの同インターネットアドレスに対応するショートカットが選択されたときに同情報提供サイトへアクセスされるようにしたので、ユーザが、たとえば数年後に再び同じ情報提供サイトから同様のコンテンツ（着信音）をダウンロードしようとする際に、サイト名及びアドレスを忘れていても、上記ショートカットを選択することにより、過去にアクセスしてコンテンツの提供を受けたことのある同情報提供サイトへ容易にアクセスされ、無駄な検索の手間を省くことができる。
【００３２】
以上、この発明の実施例を図面により詳述してきたが、具体的な構成はこの実施例に限られるものではなく、この発明の要旨を逸脱しない範囲の設計の変更などがあっても、この発明に含まれる。
たとえば、情報提供サイトから配信されるコンテンツは、待受け画像や着信音に限定されず、他の画像データや音声データでも良い。
【産業上の利用可能性】
【００３３】
この発明は、ユーザが日替わりで仕様が変化する自分だけの携帯電話機を所有することを希望する場合に有効に利用できる。
【図面の簡単な説明】
【００３４】
【図１】この発明の第１の実施例である携帯電話機の要部の電気的構成を示すブロック図である。
【図２】図１の携帯電話機の動作を説明するフローチャートである。
【図３】待受け画像選択メニュー画面を示す図である。
【図４】サブメニュー選択画面を示す図である。
【図５】画像情報選択画面を示す図である。
【図６】待受け画像提供サイトを示す図である。
【図７】この発明の第２の実施例である携帯電話機の要部の電気的構成を示すブロック図である。
【図８】着信音選択メニュー画面を示す図である。
【図９】サブメニュー選択画面を示す図である。
【図１０】メロディ情報選択画面を示す図である。
【図１１】着メロ提供サイトを示す図である。
【図１２】従来の携帯電話機の要部の電気的構成を示すブロック図である。
【符号の説明】
【００３５】
１１      制御部（制御手段）
１１ａ      ＣＰＵ（中央処理装置）（制御手段の一部）
１１ｂ      ＲＯＭ（リード・オンリ・メモリ）（制御手段の一部）
１１ｃ      アドレス検出部（アドレス検出手段）
１２      無線部（携帯電話機の一部）
１２ａ      アンテナ（携帯電話機の一部）
１３      メモリ部（記憶手段）
１３ａ      画像保存領域（記憶手段の一部）
１３ｂ      画像データ（コンテンツ）
１３ｇ      着信音保存領域（記憶手段の一部）
１３ｈ      各種プログラム領域（記憶手段の一部）
１３ｊ      電話番号情報領域（記憶手段の一部）
１３ｄ      日付情報（付加情報の一部）
１３ｅ      画像サイズ情報（付加情報の一部）
１３ｆ      情報提供サイトアドレス（付加情報の一部）
１３Ａ      メモリ部（記憶手段）
１３ｋ      着信音保存領域（記憶手段の一部）
１３ｕ      画像保存領域（記憶手段の一部）
１３ｍ      音楽データ（コンテンツ）
１３ｎ      メロディ情報（付加情報の一部）
１３ｐ      日付情報（付加情報の一部）
１３ｑ      音楽サイズ情報（付加情報の一部）
１３ｒ      情報提供サイトアドレス（付加情報の一部）
１４      キー操作部（携帯電話機の一部）
１５      表示部（表示手段）
１６      スピーカ（携帯電話機の一部）
【図１】
2005267286.tif 000003
【図２】
2005267286.tif 000004
【図３】
2005267286.tif 000005
【図４】
2005267286.tif 000006
【図５】
2005267286.tif 000007
【図６】
2005267286.tif 000008
【図７】
2005267286.tif 000009
【図８】
2005267286.tif 000010
【図９】
2005267286.tif 000011
【図１０】
2005267286.tif 000012
【図１１】
2005267286.tif 000013
【図１２】
2005267286.tif 000014